(57)【要約】【課題】より簡易な構成で、より確実にインターロック技術を実現することを課題とする。【解決手段】複数の筐体を有する電子機器の各筐体は、電源と、検知機構と、リレーと、第１の給電ラインと、第２の給電ラインとを有する。検知機構は、所定イベントの開始に応じて電源からの給電を遮断し、所定イベントの終了に応じて電源からの給電を再開する。リレーは、電源から負荷に対する給電を中継する。第１の給電ラインは、他の筐体からリレーに対する給電を受ける。第２の給電ラインは、電源から他の筐体のリレーに対して給電する。また、リレーは、第１の給電ラインを介した他の筐体からの給電が停止した場合に、電源から負荷に対する給電の中継を停止する。【選択図】図２
2018142484.tif 000002
【特許請求の範囲】
【請求項１】
複数の筐体を有する電子機器であって、
各筐体は、
電源と、
所定イベントの開始に応じて前記電源からの給電を遮断し、前記所定イベントの終了に応じて前記電源からの給電を再開する検知機構と、
前記電源から負荷に対する給電を中継するリレーと、
他の筐体から前記リレーに対する給電を受ける第１の給電ラインと、
前記電源から前記他の筐体のリレーに対して給電する第２の給電ラインと、を有し、
前記リレーは、前記第１の給電ラインを介した前記他の筐体からの給電が停止した場合に、前記電源から前記負荷に対する給電の中継を停止する
ことを特徴とする電子機器。
【請求項２】
２筐体で構成された電子機器であって、
前記第２の給電ラインは、前記電源から、前記リレーを介さずに、前記他の筐体のリレーに対して給電することを特徴とする請求項１に記載の電子機器。
【請求項３】
２筐体で構成された電子機器であって、
一方の筐体が有する前記第２の給電ラインは、前記電源から、前記リレーを介さずに、前記他の筐体のリレーに対して給電し、
他方の筐体が有する前記第２の給電ラインは、前記電源から、前記リレーを介して、前記他の筐体のリレーに対して給電することを特徴とする請求項１に記載の電子機器。
【請求項４】
３筐体で構成された電子機器であって、
一端に配置された筐体が有する前記第２の給電ラインは、前記電源から、前記リレーを介して、中間に配置された筐体のリレーに対して給電し、
前記中間に配置された筐体が有する前記第２の給電ラインは、前記電源から、前記リレーを介さずに、他端に配置された筐体のリレーに対して給電し、
前記他端に配置された筐体が有する前記第２の給電ラインは、前記電源から、前記リレーを介して、前記一端に配置された筐体のリレーに対して給電することを特徴とする請求項１に記載の電子機器。
【請求項５】
前記検知機構は、所定の扉の開放に応じて前記電源からの給電を遮断し、前記所定の扉の閉止に応じて前記電源からの給電を再開することを特徴とする請求項１〜４の何れか一つに記載の電子機器。
【請求項６】
複数の筐体を有する画像形成装置であって、
前記画像形成装置は、
記録媒体に画像形成する画像形成部を有し、
各筐体は、
電源と、
所定イベントの開始に応じて前記電源からの給電を遮断し、前記所定イベントの終了に応じて前記電源からの給電を再開する検知機構と、
前記電源から負荷に対する給電を中継するリレーと、
他の筐体から前記リレーに対する給電を受ける第１の給電ラインと、
前記電源から前記他の筐体のリレーに対して給電する第２の給電ラインと、を有し、
前記リレーは、前記第１の給電ラインを介した前記他の筐体からの給電が停止した場合に、前記電源から前記負荷に対する給電の中継を停止する
ことを特徴とする画像形成装置。
【発明の詳細な説明】
【技術分野】
【０００１】
本発明は、電子機器及び画像形成装置に関する。
【背景技術】
【０００２】
従来、電子機器では、所定条件を満たした場合に、該電子機器への給電等を遮断するインターロック技術が知られている。例えば、画像形成装置では、扉の開放が検知された場合に、ヒータやレーザ等に対する給電を遮断するインターロック技術が採用されている。これにより、ユーザは、扉の開放時にヒータやレーザ等に触れても安全に作業を行なうことができる。
【０００３】
ところで、電子機器には、複数の筐体によって各種機能を実現するものも存在する。例えば、複数の筐体によって画像処理機能を実現する画像形成装置では、何れか一つの筐体で扉の開放が検知された場合に、扉の開放が検知された筐体と、扉の開放が検知された筐体の隣に配置された筐体とに対する給電を遮断させることが好ましい。特許文献１（特開平４−７２１２１号公報）では、第１の機器と第２の機器との間で互いにインターロック信号を送受信する回路と、インターロック信号を監視する回路とを、それぞれの機器に持たせることで、インターロック検知回路の不良を検知する技術が開示されている。
【発明の概要】
【発明が解決しようとする課題】
【０００４】
しかしながら、従来技術は、簡易な構成で且つ確実にインターロック技術を実現することが困難であるという問題がある。具体的には、従来技術は、インターロック信号を機器間で送受信したり、送受信されるインターロック信号を監視したりする回路やハーネスを設けるため、これらの回路やハーネスに不具合が発生した場合に、インターロック技術を確実に実現することが困難である。つまり、従来技術は、インターロック技術を採用し、さらにインターロック信号を監視することで、インターロック検知回路の不良を検知しているものの、付加要素が加えられるほど不具合の発生要因も増加することになり、簡易な構成で且つ確実にインターロック技術を実現できているとは言い難い。
【０００５】
本発明は、上記に鑑みてなされたものであって、より簡易な構成で、より確実にインターロック技術を実現することを目的とする。
【課題を解決するための手段】
【０００６】
上述した課題を解決し、目的を達成するため、本発明に係る電子機器は、複数の筐体を有する電子機器であって、各筐体は、電源と、所定イベントの開始に応じて前記電源からの給電を遮断し、前記所定イベントの終了に応じて前記電源からの給電を再開する検知機構と、前記電源から負荷に対する給電を中継するリレーと、他の筐体から前記リレーに対する給電を受ける第１の給電ラインと、前記電源から前記他の筐体のリレーに対して給電する第２の給電ラインと、を有し、前記リレーは、前記第１の給電ラインを介した前記他の筐体からの給電が停止した場合に、前記電源から前記負荷に対する給電の中継を停止する。
【発明の効果】
【０００７】
本発明によれば、より簡易な構成で、より確実にインターロック技術を実現することができるという効果を奏する。
【図面の簡単な説明】
【０００８】
【図１】図１は、実施の形態１に係る画像形成装置の構成例を示す図である。
【図２】図２は、実施の形態１に係る画像形成装置による給電遮断処理の流れの例を示すシーケンス図である。
【図３】図３は、実施の形態１に係る画像形成装置による給電再開処理の流れの例を示すシーケンス図である。
【図４】図４は、実施の形態２に係る画像形成装置の構成例を示す図である。
【図５】図５は、実施の形態２に係る画像形成装置による給電遮断処理の流れの例を示すシーケンス図である。
【図６】図６は、実施の形態２に係る画像形成装置による給電再開処理の流れの例を示すシーケンス図である。
【図７】図７は、実施の形態２に係る画像形成装置による給電遮断処理の流れの例を示すシーケンス図である。
【図８】図８は、実施の形態２に係る画像形成装置による給電再開処理の流れの例を示すシーケンス図である。
【図９】図９は、実施の形態３に係る画像形成装置の構成例を示す図である。
【図１０】図１０は、実施の形態３に係る画像形成装置が有する３筐体の給電状態の例を説明する図である。
【図１１】図１１は、実施の形態３に係る画像形成装置による給電遮断処理の流れの例を示すシーケンス図である。
【図１２】図１２は、実施の形態３に係る画像形成装置による給電再開処理の流れの例を示すシーケンス図である。
【図１３】図１３は、実施の形態３に係る画像形成装置による給電遮断処理の流れの例を示すシーケンス図である。
【図１４】図１４は、実施の形態３に係る画像形成装置による給電再開処理の流れの例を示すシーケンス図である。
【図１５】図１５は、実施の形態３に係る画像形成装置による給電遮断処理の流れの例を示すシーケンス図である。
【図１６】図１６は、実施の形態３に係る画像形成装置による給電再開処理の流れの例を示すシーケンス図である。
【図１７】図１７は、画像形成装置のハードウェア構成例を示すブロック図である。
【発明を実施するための形態】
【０００９】
以下に添付図面を参照して、本発明に係る電子機器及び画像形成装置の実施の形態を説明する。なお、以下の実施の形態により本発明が限定されるものではない。また、各実施の形態は、内容を矛盾させない範囲で適宜組み合わせることができる。
【００１０】
（実施の形態１）
図１を用いて、実施の形態１に係る画像形成装置１００の構成を説明する。図１は、実施の形態１に係る画像形成装置１００の構成例を示す図である。なお、画像形成装置１００は、「電子機器」の一例である。
【００１１】
図１に示すように、画像形成装置１００は、第１の筐体１１０と、第２の筐体１２０との２筐体を有する。第１の筐体１１０は、電源１１１と、検知機構１１２と、給電切断回路１１３とを有する。給電切断回路１１３は、リレー１１４を有する。また、リレー１１４は、接点１１４ａと、コイル１１４ｂとを有する。第２の筐体１２０は、電源１２１と、検知機構１２２と、給電切断回路１２３とを有する。給電切断回路１２３は、リレー１２４を有する。また、リレー１２４は、接点１２４ａと、コイル１２４ｂとを有する。
【００１２】
また、第１の筐体１１０は、第２の筐体１２０からリレー１１４に対する給電を受ける第１の給電ライン１１５を有する。また、第１の筐体１１０は、電源１１１から第２の筐体１２０のリレー１２４に対して給電する第２の給電ライン１１６を有する。同様に、第２の筐体１２０は、第１の筐体１１０からリレー１２４に対する給電を受ける第１の給電ライン１２５を有する。また、第２の筐体１２０は、電源１２１から第１の筐体１１０のリレー１１４に対して給電する第２の給電ライン１２６を有する。図１に示すように、第１の給電ライン１１５は、第２の給電ライン１２６の延長上に存在する。また、第１の給電ライン１２５は、第２の給電ライン１１６の延長上に存在する。
【００１３】
なお、各筐体１１０、１２０が有する同一名称の各部は、各筐体１１０、１２０において、以下で説明するように同様の処理や機能を実現する。例えば、各筐体１１０、１２０が有する同一名称の各部とは、電源１１１と電源１２１、検知機構１１２と検知機構１２２、給電切断回路１１３と給電切断回路１２３、リレー１１４とリレー１２４（接点１１４ａと接点１２４ａ、コイル１１４ｂとコイル１２４ｂ）、第１の給電ライン１１５と第１の給電ライン１２５、第２の給電ライン１１６と第２の給電ライン１２６である。
【００１４】
画像形成装置１００の各筐体１１０、１２０は、自身の筐体の電源から他の筐体のリレーに対して給電する。具体的には、第１の筐体１１０は、電源１１１から、リレー１１４を介さずに、第２の筐体１２０のリレー１２４に対して給電する（第２の給電ライン１１６を介して給電する）。また、第２の筐体１２０は、電源１２１から、リレー１２４を介さずに、第１の筐体１１０のリレー１１４に対して給電する（第２の給電ライン１２６を介して給電する）。
【００１５】
検知機構１１２は、所定イベントの開始に応じて、電源１１１からの給電を遮断する。例えば、検知機構１１２は、第１の筐体１１０に設けられた所定の扉の開放に応じて、スイッチを閉状態から開状態にして、電源１１１からの給電を遮断する。この所定の扉とは、第１の筐体１１０内部をカバーするための扉を指す。画像形成装置１００において、所定の扉は、トナー交換やジャム処理、メンテナンス等の際に、ユーザによって開放される場合がある。所定の扉が開放された場合は、ユーザによる作業時の安全性確保のために、ユーザが触れると危険なデバイス（例えば、ヒータやレーザ等の負荷）に対する給電を停止させることが好ましい。
【００１６】
また、検知機構１１２は、所定イベントの終了に応じて、電源１１１からの給電を再開する。例えば、検知機構１１２は、第１の筐体１１０に設けられた所定の扉の閉止に応じて、スイッチを開状態から閉状態にして、電源１１１からの給電を再開する。
【００１７】
給電切断回路１１３は、第１の筐体１１０が有する負荷に対する給電を切断する回路である。第１の筐体１１０が有する負荷に対する給電の切断は、主に、リレー１１４によって実現される。リレー１１４は、電源１１１から負荷への給電を中継する。また、リレー１１４は、第１の給電ライン１１５を介した第２の筐体１２０からの給電により動作し、第２の筐体１２０からの給電が停止した場合に、電源１１１から負荷に対する給電の中継を停止する。接点１１４ａは、コイル１１４ｂの電磁作用によって開閉する。例えば、リレー１１４は、第２の筐体１２０からコイル１１４ｂに対する給電が行なわれている間、コイル１１４ｂの磁力によって接点１１４ａが閉状態となる。つまり、電源１１１は、検知機構１１２のスイッチが閉状態、且つ、接点１１４ａが閉状態であれば、接点１１４ａに接続された負荷に対して給電することができる（図１に示す「給電Ａ」）。
【００１８】
一方、リレー１１４は、第２の筐体１２０からコイル１１４ｂに対する給電が停止している間、コイル１１４ｂの磁力が発生せず、接点１１４ａが開状態となる。つまり、電源１１１は、検知機構１１２のスイッチが開状態、又は、接点１１４ａが開状態であれば、接点１１４ａに接続された負荷に対して給電することができない。
【００１９】
検知機構１２２は、所定イベントの開始に応じて、電源１２１からの給電を遮断する。例えば、検知機構１２２は、第２の筐体１２０に設けられた所定の扉の開放に応じて、スイッチを閉状態から開状態にして、電源１２１からの給電を遮断する。この所定の扉とは、第２の筐体１２０内部をカバーするための扉を指す。第１の筐体１１０と同様に、所定の扉が開放された場合は、ユーザが触れると危険なデバイスに対する給電を停止させることが好ましい。
【００２０】
また、検知機構１２２は、所定イベントの終了に応じて、電源１２１からの給電を再開する。例えば、検知機構１２２は、第２の筐体１２０に設けられた所定の扉の閉止に応じて、スイッチを開状態から閉状態にして、電源１２１からの給電を再開する。
【００２１】
給電切断回路１２３は、第２の筐体１２０が有する負荷に対する給電を切断する回路である。第２の筐体１２０が有する負荷に対する給電の切断は、主に、リレー１２４によって実現される。リレー１２４は、電源１２１から負荷への給電を中継する。また、リレー１２４は、第１の給電ライン１２５を介した第１の筐体１１０からの給電により動作し、第１の筐体１１０からの給電が停止した場合に、電源１２１から負荷に対する給電の中継を停止する。接点１２４ａは、コイル１２４ｂの電磁作用によって開閉する。例えば、リレー１２４は、第１の筐体１１０からコイル１２４ｂに対する給電が行なわれている間、コイル１２４ｂの磁力によって接点１２４ａが閉状態となる。つまり、電源１２１は、検知機構１２２のスイッチが閉状態、且つ、接点１２４ａが閉状態であれば、接点１２４ａに接続された負荷に対して給電することができる（図１に示す「給電Ｂ」）。
【００２２】
一方、リレー１２４は、第１の筐体１１０からコイル１２４ｂに対する給電が停止している間、コイル１２４ｂの磁力が発生せず、接点１２４ａが開状態となる。つまり、電源１２１は、検知機構１２２のスイッチが開状態、又は、接点１２４ａが開状態であれば、接点１２４ａに接続された負荷に対して給電することができない。
【００２３】
上述したように、第１の筐体１１０は、電源１１１から、リレー１１４を介さずに、第２の筐体１２０のリレー１２４に対して給電する。このため、電源１１１は、第１の筐体１１０に設けられた所定の扉の開放により検知機構１１２のスイッチが開状態になった時点で、リレー１２４のコイル１２４ｂに対して給電することができなくなる。加えて、電源１１１は、第１の筐体１１０に設けられた所定の扉の開放により検知機構１１２のスイッチが開状態になった時点で、リレー１１４が動作していたとしても、接点１１４ａに接続された負荷に対して給電することができなくなる（給電Ａ停止）。
【００２４】
また、リレー１２４は、第１の筐体１１０に設けられた所定の扉の開放により検知機構１１２のスイッチが開状態になった時点で、第１の筐体１１０からの給電が停止するので、動作することができなくなる。すなわち、リレー１２４は、第１の筐体１１０の電源１１１からコイル１２４ｂに対する給電が停止することで動作を停止し、接点１２４ａが開状態になる。このため、電源１２１は、リレー１２４の動作が停止した時点で、検知機構１２２のスイッチが閉状態であったとしても、接点１２４ａに接続された負荷に対して給電することができなくなる（給電Ｂ停止）。この時点で、画像形成装置１００では、各筐体１１０、１２０の負荷に対する給電が停止されることになる。
【００２５】
ユーザは、第１の筐体１１０に設けられた所定の扉を開放したうえで、トナー交換やジャム処理、メンテナンス等を実施する。このとき、ユーザは、第１の筐体１１０及び第２の筐体１２０の負荷に対する給電が停止しているため、より安全に作業を行なえる。また、ユーザは、トナー交換やジャム処理、メンテナンス等が完了すると、第１の筐体１１０に設けられた所定の扉を閉止する。
【００２６】
これにより、検知機構１１２は、第１の筐体１１０に設けられた所定の扉の閉止に応じて、開状態となっているスイッチを閉状態にして、電源１１１からの給電を再開する。ここで、リレー１１４は、第２の筐体１２０からの給電が停止しているわけではないため、動作している状態（接点１１４ａが閉状態）である。従って、電源１１１は、検知機構１１２のスイッチが開状態から閉状態になった時点で、接点１１４ａに接続された負荷に対して給電できるようになる（給電Ａ開始）。加えて、電源１１１は、検知機構１１２のスイッチが開状態から閉状態になった時点で、第２の筐体１２０のリレー１２４に対して給電できるようになる。
【００２７】
リレー１２４は、第１の筐体１１０からコイル１２４ｂに対する給電が開始されることで動作を開始し、接点１２４ａが閉状態になる。ここで、第２の筐体１２０では、検知機構１２２のスイッチが閉状態から変化していないため、電源１２１からの給電がリレー１２４に対して行なわれている状態のままである。従って、電源１２１は、リレー１２４の動作が開始された時点で、接点１２４ａに接続された負荷に対して給電できるようになる（給電Ｂ開始）。この時点で、画像形成装置１００では、各筐体１１０、１２０の負荷に対する給電が行なわれていることになる。
【００２８】
なお、上記では第１の筐体１１０に設けられた所定の扉が開放される場合を例に挙げたが、第２の筐体１２０に設けられた所定の扉が開放される場合であっても良い。第２の筐体１２０に設けられた所定の扉が開放される場合は、第２の筐体１２０が有する各部が、上述した第１の筐体１１０が有する各部の動作を行ない、第１の筐体１１０が有する各部が、上述した第２の筐体１２０が有する各部の動作を行なうことになる。
【００２９】
次に、図２を用いて、実施の形態１に係る画像形成装置１００による給電遮断処理を説明する。図２は、実施の形態１に係る画像形成装置１００による給電遮断処理の流れの例を示すシーケンス図である。なお、図２では、第１の筐体１１０に設けられた所定の扉が開放された場合を例に挙げる。
【００３０】
図２に示すように、検知機構１１２は、第１の筐体１１０に設けられた所定の扉の開放に応じて（ステップＳ１０１）、スイッチを閉状態から開状態にして、電源１１１からの給電を遮断する（ステップＳ１０２）。そして、リレー１１４は、電源１１１からの給電が遮断されたため、接点１１４ａに接続された負荷に対する電源１１１からの給電（給電Ａ）を停止する（ステップＳ１０３）。
【００３１】
また、リレー１２４は、第１の筐体１１０の電源１１１からコイル１２４ｂに対する給電が停止したため（ステップＳ１０４）、動作を停止する（ステップＳ１０５）。これにより、リレー１２４は、接点１２４ａが閉状態から開状態になることで、接点１２４ａに接続された負荷に対する電源１２１からの給電（給電Ｂ）を停止する（ステップＳ１０６）。
【００３２】
次に、図３を用いて、実施の形態１に係る画像形成装置１００による給電再開処理を説明する。図３は、実施の形態１に係る画像形成装置１００による給電再開処理の流れの例を示すシーケンス図である。なお、図３では、図２で説明した給電遮断処理の後に、第１の筐体１１０に設けられた所定の扉が閉鎖された場合を例に挙げる。
【００３３】
図３に示すように、検知機構１１２は、第１の筐体１１０に設けられた所定の扉の閉止に応じて（ステップＳ２０１）、スイッチを開状態から閉状態にして、電源１１１からの給電を再開する（ステップＳ２０２）。そして、リレー１１４は、電源１１１からの給電が再開されたため、接点１１４ａに接続された負荷に対する電源１１１からの給電（給電Ａ）を開始する（ステップＳ２０３）。
【００３４】
また、リレー１２４は、第１の筐体１１０の電源１１１からコイル１２４ｂに対する給電が開始したため（ステップＳ２０４）、動作を開始する（ステップＳ２０５）。これにより、リレー１２４は、接点１２４ａが開状態から閉状態になることで、接点１２４ａに接続された負荷に対する電源１２１からの給電（給電Ｂ）を開始する（ステップＳ２０６）。
【００３５】
上述したように、画像形成装置１００では、第１の筐体１１０に設けられた所定の扉の開放に応じて、電源１１１からの給電を遮断することで、第１の筐体１１０の負荷に対する給電が停止される。また、画像形成装置１００では、電源１１１から、リレー１１４を介さずに、第２の筐体１２０のリレー１２４に対して給電することで、第１の筐体１１０に設けられた所定の扉の開放をトリガに、第２の筐体１２０のリレー１２４の動作を停止させる。換言すると、画像形成装置１００は、第１の筐体１１０に設けられた所定の扉の開放をトリガに、電源１１１からの給電を遮断することで、第１の筐体１１０の負荷に対する給電を停止させるとともに、リレー１２４の動作を停止させ、第２の筐体１２０の負荷に対する給電も停止させる。これらの結果、画像形成装置１００は、より簡易な構成で、より確実にインターロック技術を実現することができる。
【００３６】
（実施の形態２）
上記実施の形態１では、各筐体の電源から、自身の筐体のリレーを介さずに、他の筐体のリレーに対して給電する場合を例に挙げた。画像形成装置の構成はこれに限られるものではない。実施の形態２では、一方の筐体が、自身の筐体の電源から、自身の筐体のリレーを介さずに、他の筐体のリレーに対して給電し、他方の筐体が、自身の筐体の電源から、自身の筐体のリレーを介して、他の筐体のリレーに対して給電する場合を例に挙げる。なお、実施の形態２では、実施の形態１に係る画像形成装置１００と同様の構成については同一の符号を付し、その詳細な説明を省略する場合がある。
【００３７】
図４を用いて、実施の形態２に係る画像形成装置２００の構成を説明する。図４は、実施の形態２に係る画像形成装置２００の構成例を示す図である。
【００３８】
図４に示すように、画像形成装置２００は、第１の筐体２１０と、第２の筐体２２０との２筐体を有する。第１の筐体２１０は、電源１１１と、検知機構１１２と、給電切断回路１１３とを有する。給電切断回路１１３は、リレー１１４を有する。また、リレー１１４は、接点１１４ａと、コイル１１４ｂとを有する。第２の筐体２２０は、電源１２１と、検知機構１２２と、給電切断回路１２３とを有する。給電切断回路１２３は、リレー１２４を有する。また、リレー１２４は、接点１２４ａと、コイル１２４ｂとを有する。
【００３９】
また、第１の筐体２１０は、第２の筐体２２０からリレー１１４に対する給電を受ける第１の給電ライン１１５を有する。また、第１の筐体２１０は、電源１１１から第２の筐体２２０のリレー１２４に対して給電する第２の給電ライン１１６を有する。同様に、第２の筐体２２０は、第１の筐体２１０からリレー１２４に対する給電を受ける第１の給電ライン１２５を有する。また、第２の筐体２２０は、電源１２１から第１の筐体２１０のリレー１１４に対して給電する第２の給電ライン１２６を有する。
【００４０】
画像形成装置２００において、一方の筐体は、自身の筐体の電源から、自身の筐体のリレーを介さずに、他の筐体のリレーに対して給電する。また、画像形成装置２００において、他方の筐体は、自身の筐体の電源から、自身の筐体のリレーを介して、他の筐体のリレーに対して給電する。以下では、一方の筐体を第１の筐体２１０とし、他方の筐体を第２の筐体２２０とする場合を例に挙げる。具体的には、第１の筐体２１０が有する第２の給電ライン１１６は、電源１１１から、リレー１１４を介さずに、第２の筐体２２０のリレー１２４に対して給電する。また、第２の筐体２２０が有する第２の給電ライン１２６は、電源１２１から、リレー１２４を介して、第１の筐体２１０のリレー１１４に対して給電する。
【００４１】
このように、実施の形態２では、他の筐体のリレーに対する給電のための構成が実施の形態１とは異なる。以下では、第１の筐体２１０に設けられた所定の扉が開放されたときの画像形成装置２００の動作を例に挙げて説明する。
【００４２】
上述したように、第１の筐体２１０は、電源１１１から、リレー１１４を介さずに、第２の筐体２２０のリレー１２４に対して給電する。このため、電源１１１は、第１の筐体２１０に設けられた所定の扉の開放により検知機構１１２のスイッチが開状態になった時点で、リレー１２４のコイル１２４ｂに対して給電することができなくなる。加えて、電源１１１は、第１の筐体２１０に設けられた所定の扉の開放により検知機構１１２のスイッチが開状態になった時点で、接点１１４ａに接続された負荷に対して給電することができなくなる（給電Ａ停止）。
【００４３】
また、リレー１２４は、第１の筐体２１０に設けられた所定の扉の開放により検知機構１１２のスイッチが開状態になった時点で、第１の筐体２１０からの給電が停止するので、動作することができなくなる。すなわち、リレー１２４は、第１の筐体２１０の電源１１１からコイル１２４ｂに対する給電が停止することで動作を停止し、接点１２４ａが開状態になる。このため、電源１２１は、リレー１２４の動作が停止した時点で、検知機構１２２のスイッチが閉状態であったとしても、接点１２４ａに接続された負荷に対して給電することができなくなる（給電Ｂ停止）。この時点で、画像形成装置２００では、各筐体２１０、２２０の負荷に対する給電が停止されることになる。
【００４４】
また、上述したように、第２の筐体２２０は、電源１２１から、リレー１２４を介して、第１の筐体２１０のリレー１１４に対して給電する。このため、電源１２１は、リレー１２４の動作が停止した時点で、検知機構１２２のスイッチが閉状態であったとしても、接点１２４ａに接続されたコイル１１４ｂに対して給電することができなくなる。これにより、リレー１１４は、第２の筐体２２０からコイル１１４ｂに対する給電が停止することで動作を停止し、接点１１４ａが開状態になる。なお、この時点で、第１の筐体２１０では、接点１１４ａに接続された負荷に対する給電（給電Ａ）は既に停止している。
【００４５】
ユーザは、第１の筐体２１０に設けられた所定の扉を開放したうえで、トナー交換やジャム処理、メンテナンス等を実施する。このとき、ユーザは、第１の筐体２１０及び第２の筐体２２０の負荷に対する給電が停止しているため、より安全に作業を行なえる。また、ユーザは、トナー交換やジャム処理、メンテナンス等が完了すると、第１の筐体２１０に設けられた所定の扉を閉止する。
【００４６】
これにより、検知機構１１２は、第１の筐体２１０に設けられた所定の扉の閉止に応じて、開状態となっているスイッチを閉状態にして、電源１１１からの給電を再開する。ここで、リレー１１４は、第２の筐体２２０からの給電が停止しているので動作しておらず（接点１１４ａが開状態）、この時点では、負荷に対する給電（給電Ａ）を開始できない。まず、電源１１１は、検知機構１１２のスイッチが開状態から閉状態になった時点で、第２の筐体２２０のリレー１２４に対して給電できるようになる。
【００４７】
リレー１２４は、第１の筐体２１０からコイル１２４ｂに対する給電が開始されることで動作を開始し、接点１２４ａが閉状態になる。ここで、第２の筐体２２０では、検知機構１２２のスイッチが閉状態から変化していないため、電源１２１からの給電がリレー１２４に対して行なわれている状態のままである。従って、電源１２１は、リレー１２４の動作が開始された時点で、接点１２４ａに接続された負荷に対して給電できるようになる（給電Ｂ開始）。加えて、電源１２１は、リレー１２４の動作が開始された時点で、接点１２４ａに接続されたリレー１１４に対して給電できるようになる。
【００４８】
リレー１１４は、第２の筐体２２０からコイル１１４ｂに対する給電が開始されることで動作を開始し、接点１１４ａが閉状態になる。ここで、第１の筐体２１０では、検知機構１１２のスイッチが開状態から閉状態になっているため、電源１１１からの給電がリレー１１４に対して行なわれている状態となっている。従って、電源１１１は、リレー１１４の動作が開始された時点で、接点１１４ａに接続された負荷に対して給電できるようになる（給電Ａ開始）。この時点で、画像形成装置２００では、各筐体２１０、２２０の負荷に対する給電が行なわれていることになる。
【００４９】
次に、第２の筐体２２０に設けられた所定の扉が開放されたときの画像形成装置２００の動作を例に挙げて説明する。
【００５０】
上述したように、第２の筐体２２０は、電源１２１から、リレー１２４を介して、第１の筐体２１０のリレー１１４に対して給電する。このため、電源１２１は、第２の筐体２２０に設けられた所定の扉の開放により検知機構１２２のスイッチが開状態になった時点で、リレー１２４が動作していたとしても、接点１２４ａに接続されたリレー１１４に対して給電することができなくなる。加えて、電源１２１は、第２の筐体２２０に設けられた所定の扉の開放により検知機構１２２のスイッチが開状態になった時点で、リレー１２４が動作していたとしても、接点１２４ａに接続された負荷に対して給電することができなくなる（給電Ｂ停止）。
【００５１】
また、リレー１１４は、第２の筐体２２０に設けられた所定の扉の開放により検知機構１２２のスイッチが開状態になった時点で、第２の筐体２２０からの給電が停止するので、動作することができなくなる。すなわち、リレー１１４は、第２の筐体２２０からコイル１１４ｂに対する給電が停止することで動作を停止し、接点１１４ａが開状態になる。このため、電源１１１は、リレー１１４の動作が停止した時点で、検知機構１１２のスイッチが閉状態であったとしても、接点１１４ａに接続された負荷に対して給電することができなくなる（給電Ａ停止）。この時点で、画像形成装置２００では、各筐体２１０、２２０の負荷に対する給電が停止されることになる。
【００５２】
ユーザは、第２の筐体２２０に設けられた所定の扉を開放したうえで、トナー交換やジャム処理、メンテナンス等を実施する。このとき、ユーザは、第１の筐体２１０及び第２の筐体２２０の負荷に対する給電が停止しているため、より安全に作業を行なえる。また、ユーザは、トナー交換やジャム処理、メンテナンス等が完了すると、第２の筐体２２０に設けられた所定の扉を閉止する。
【００５３】
これにより、検知機構１２２は、第２の筐体２２０に設けられた所定の扉の閉止に応じて、開状態となっているスイッチを閉状態にして、電源１２１からの給電を再開する。ここで、リレー１２４は、第１の筐体２１０からの給電が停止しているわけではないため、動作している状態（接点１２４ａが閉状態）である。従って、電源１２１は、検知機構１２２のスイッチが開状態から閉状態になった時点で、接点１２４ａに接続された負荷に対して給電できるようになる（給電Ｂ開始）。加えて、電源１２１は、検知機構１２２のスイッチが開状態から閉状態になった時点で、接点１２４ａに接続されたリレー１１４に対して給電できるようになる。
【００５４】
リレー１１４は、第２の筐体２２０からコイル１１４ｂに対する給電が開始されることで動作を開始し、接点１１４ａが閉状態になる。ここで、第１の筐体２１０では、検知機構１１２のスイッチが閉状態から変化していないため、電源１１１からの給電がリレー１１４に対して行なわれている状態のままである。従って、電源１１１は、リレー１１４の動作が開始された時点で、接点１１４ａに接続された負荷に対して給電できるようになる（給電Ａ開始）。この時点で、画像形成装置２００では、各筐体２１０、２２０の負荷に対する給電が行なわれていることになる。
【００５５】
次に、図５を用いて、実施の形態２に係る画像形成装置２００による給電遮断処理を説明する。図５は、実施の形態２に係る画像形成装置２００による給電遮断処理の流れの例を示すシーケンス図である。なお、図５では、第１の筐体２１０に設けられた所定の扉が開放された場合を例に挙げる。
【００５６】
図５に示すように、検知機構１１２は、第１の筐体２１０に設けられた所定の扉の開放に応じて（ステップＳ３０１）、スイッチを閉状態から開状態にして、電源１１１からの給電を遮断する（ステップＳ３０２）。そして、リレー１１４は、電源１１１からの給電が遮断されたため、接点１１４ａに接続された負荷に対する電源１１１からの給電（給電Ａ）を停止する（ステップＳ３０３）。
【００５７】
また、リレー１２４は、第１の筐体２１０の電源１１１からコイル１２４ｂに対する給電が停止したため（ステップＳ３０４）、動作を停止する（ステップＳ３０５）。これにより、リレー１２４は、接点１２４ａが閉状態から開状態になることで、接点１２４ａに接続された負荷に対する電源１２１からの給電（給電Ｂ）を停止する（ステップＳ３０６）。また、リレー１１４は、第２の筐体２２０の電源１２１から、接点１２４ａに接続されたコイル１１４ｂに対する給電が停止したため（ステップＳ３０７）、動作を停止する（ステップＳ３０８）。
【００５８】
次に、図６を用いて、実施の形態２に係る画像形成装置２００による給電再開処理を説明する。図６は、実施の形態２に係る画像形成装置２００による給電再開処理の流れの例を示すシーケンス図である。なお、図６では、図５で説明した給電遮断処理の後に、第１の筐体２１０に設けられた所定の扉が閉止された場合を例に挙げる。
【００５９】
図６に示すように、検知機構１１２は、第１の筐体２１０に設けられた所定の扉の閉止に応じて（ステップＳ４０１）、スイッチを開状態から閉状態にして、電源１１１からの給電を再開する（ステップＳ４０２）。
【００６０】
また、リレー１２４は、第１の筐体２１０の電源１１１からコイル１２４ｂに対する給電が開始したため（ステップＳ４０３）、動作を開始する（ステップＳ４０４）。これにより、リレー１２４は、接点１２４ａが開状態から閉状態になることで、接点１２４ａに接続された負荷に対する電源１２１からの給電（給電Ｂ）を開始する（ステップＳ４０５）。
【００６１】
また、リレー１１４は、接点１２４ａが開状態から閉状態になることで、第２の筐体２２０の電源１２１から、接点１２４ａに接続されたコイル１１４ｂに対する給電が開始したため（ステップＳ４０６）、動作を開始する（ステップＳ４０７）。これにより、リレー１１４は、接点１１４ａが開状態から閉状態になることで、接点１１４ａに接続された負荷に対する電源１１１からの給電（給電Ａ）を開始する（ステップＳ４０８）。
【００６２】
次に、図７を用いて、実施の形態２に係る画像形成装置２００による給電遮断処理を説明する。図７は、実施の形態２に係る画像形成装置２００による給電遮断処理の流れの例を示すシーケンス図である。なお、図７では、第２の筐体２２０に設けられた所定の扉が開放された場合を例に挙げる。
【００６３】
図７に示すように、検知機構１２２は、第２の筐体２２０に設けられた所定の扉の開放に応じて（ステップＳ５０１）、スイッチを閉状態から開状態にして、電源１２１からの給電を遮断する（ステップＳ５０２）。そして、リレー１２４は、電源１２１からの給電が遮断されたため、接点１２４ａに接続された負荷に対する電源１２１からの給電（給電Ｂ）を停止する（ステップＳ５０３）。
【００６４】
また、リレー１１４は、電源１２１からの給電の遮断により、接点１２４ａに接続されたコイル１１４ｂに対する給電が停止したため（ステップＳ５０４）、動作を停止する（ステップＳ５０５）。これにより、リレー１１４は、接点１１４ａが閉状態から開状態になることで、接点１１４ａに接続された負荷に対する電源１１１からの給電（給電Ａ）を停止する（ステップＳ５０６）。
【００６５】
次に、図８を用いて、実施の形態２に係る画像形成装置２００による給電再開処理を説明する。図８は、実施の形態２に係る画像形成装置２００による給電再開処理の流れの例を示すシーケンス図である。なお、図８では、図７で説明した給電遮断処理の後に、第２の筐体２２０に設けられた所定の扉が閉止された場合を例に挙げる。
【００６６】
図８に示すように、検知機構１２２は、第２の筐体２２０に設けられた所定の扉の閉止に応じて（ステップＳ６０１）、スイッチを開状態から閉状態にして、電源１２１からの給電を再開する（ステップＳ６０２）。そして、リレー１２４は、電源１２１からの給電が再開されたため、接点１２４ａに接続された負荷に対する電源１２１からの給電（給電Ｂ）を開始する（ステップＳ６０３）。
【００６７】
また、リレー１１４は、第２の筐体２２０の電源１２１から、接点１２４ａに接続されたコイル１１４ｂに対する給電が開始したため（ステップＳ６０４）、動作を開始する（ステップＳ６０５）。これにより、リレー１１４は、接点１１４ａが開状態から閉状態になることで、接点１１４ａに接続された負荷に対する電源１１１からの給電（給電Ａ）を開始する（ステップＳ６０６）。
【００６８】
上述したように、画像形成装置２００では、一方の筐体が、自身の筐体が有するリレーを介さずに、他筐体が有するリレーに対して給電し、他方の筐体が、自身の筐体が有するリレーを介して、他筐体が有するリレーに対して給電する。このような構成であっても、画像形成装置２００は、何れかの筐体で所定の扉が開放された場合に、各筐体の負荷に対する給電を停止することができ、より簡易な構成で、より確実にインターロック技術を実現することができる。
【００６９】
（実施の形態３）
上記実施の形態１や２では、２筐体を有する画像形成装置１００や画像形成装置２００を例に挙げた。画像形成装置の構成はこれに限られるものではない。実施の形態３では、３筐体を有する画像形成装置３００を説明する。なお、実施の形態３では、上記実施の形態１や２と同様に、各筐体が有する同一名称の各部は、各筐体において同様の処理を実行する。実施の形態３では、３筐体を有する画像形成装置３００を説明するために、各筐体が有する各部の符号を上記実施の形態１や２とは異なるものとしているが、同一名称の各部による処理は上記実施の形態１や２で説明した各部による処理と同様である。実施の形態３では、上記実施の形態１や２と同様な処理についての説明を省略する場合がある。
【００７０】
図９を用いて、実施の形態３に係る画像形成装置３００の構成を説明する。図９は、実施の形態３に係る画像形成装置３００の構成例を示す図である。
【００７１】
図９に示すように、画像形成装置３００は、第１の筐体３１０と、第２の筐体３２０と、第３の筐体３３０との３筐体を有する。第１の筐体３１０は、電源３１１と、検知機構３１２と、給電切断回路３１３とを有する。給電切断回路３１３は、リレー３１４を有する。また、リレー３１４は、接点３１４ａと、コイル３１４ｂとを有する。
【００７２】
第２の筐体３２０は、電源３２１と、検知機構３２２と、給電切断回路３２３とを有する。給電切断回路３２３は、リレー３２４を有する。また、リレー３２４は、接点３２４ａと、コイル３２４ｂとを有する。第３の筐体３３０は、電源３３１と、検知機構３３２と、給電切断回路３３３とを有する。給電切断回路３３３は、リレー３３４を有する。また、リレー３３４は、接点３３４ａと、コイル３３４ｂとを有する。
【００７３】
また、第１の筐体３１０は、第３の筐体３３０からリレー３１４に対する給電を受ける第１の給電ライン３１５を有する。また、第１の筐体３１０は、電源３１１から第２の筐体３２０のリレー３２４に対して給電する第２の給電ライン３１６を有する。
【００７４】
また、第２の筐体３２０は、第１の筐体３１０からリレー３２４に対する給電を受ける第１の給電ライン３２５を有する。また、第２の筐体３２０は、電源３２１から第３の筐体３３０のリレー３３４に対して給電する第２の給電ライン３２６を有する。
【００７５】
また、第３の筐体３３０は、第２の筐体３２０からリレー３３４に対する給電を受ける第１の給電ライン３３５を有する。また、第３の筐体３３０は、電源３３１から第１の筐体３１０のリレー３１４に対して給電する第２の給電ライン３３６を有する。
【００７６】
画像形成装置３００において、一端に配置された筐体は、自身の筐体の電源から、自身の筐体のリレーを介して、中間に配置された筐体のリレーに対して給電する。また、画像形成装置３００において、中間に配置された筐体は、自身の筐体の電源から、自身の筐体のリレーを介さずに、他端に配置された筐体のリレーに対して給電する。また、画像形成装置３００において、他端に配置された筐体は、自身の筐体の電源から、自身の筐体のリレーを介して、一端に配置された筐体のリレーに対して給電する。以下では、一端の配置された筐体を第１の筐体３１０とし、中間に配置された筐体を第２の筐体３２０とし、他端に配置された筐体を第３の筐体３３０とする場合を例に挙げる。
【００７７】
具体的には、第１の筐体３１０が有する第２の給電ライン３１６は、電源３１１から、リレー３１４を介して、第２の筐体３２０のリレー３２４に対して給電する。また、第２の筐体３２０が有する第２の給電ライン３２６は、電源３２１から、リレー３２４を介さずに、第３の筐体３３０のリレー３３４に対して給電する。また、第３の筐体３３０が有する第２の給電ライン３３６は、電源３３１から、リレー３３４を介して、第１の筐体３１０のリレー３１４に対して給電する。
【００７８】
上述したように、実施の形態３は、画像形成装置３００が３筐体を有することと、３筐体を有することによる各筐体のリレーに対する給電のための構成とが実施の形態１や２とは異なる。以下では、第１の筐体３１０に設けられた所定の扉が開放されたときの画像形成装置３００の動作を例に挙げて説明する。
【００７９】
上述したように、第１の筐体３１０は、電源３１１から、リレー３１４を介して、第２の筐体３２０のリレー３２４に対して給電する。このため、電源３１１は、第１の筐体３１０に設けられた所定の扉の開放により検知機構３１２のスイッチが開状態になった時点で、リレー３１４が動作していたとしても、接点３１４ａに接続されたコイル３２４ｂに対して給電することができなくなる。加えて、電源３１１は、第１の筐体３１０に設けられた所定の扉の開放により検知機構３１２のスイッチが開状態になった時点で、リレー３１４が動作していたとしても、接点３１４ａに接続された負荷に対して給電することができなくなる（給電Ａ停止）。
【００８０】
また、リレー３２４は、第１の筐体３１０に設けられた所定の扉の開放により検知機構３１２のスイッチが開状態になった時点で、第１の筐体３１０からの給電が停止するので、動作することができなくなる。すなわち、リレー３２４は、電源３１１からの給電が遮断されたため、接点３１４ａに接続されたコイル３２４ｂに対する給電が停止することで動作を停止し、接点３２４ａが開状態になる。このため、電源３２１は、リレー３２４の動作が停止した時点で、検知機構３２２のスイッチが閉状態であったとしても、接点３２４ａに接続された負荷に対して給電することができなくなる（給電Ｂ停止）。この時点で、画像形成装置３００では、第１の筐体３１０及び第２の筐体３２０の負荷に対する給電が停止されることになる。なお、第１の筐体３１０に設けられた所定の扉が開放された場合は、第３の筐体３３０の負荷に対する給電は停止されない。
【００８１】
ユーザは、第１の筐体３１０に設けられた所定の扉を開放したうえで、トナー交換やジャム処理、メンテナンス等を実施する。このとき、ユーザは、第１の筐体３１０と、その隣に配置された第２の筐体３２０との負荷に対する給電が停止しているため、より安全に作業を行なえる。つまり、第１の筐体３１０に設けられた所定の扉が開放された場合は、ユーザが触れる可能性のある隣に配置された第２の筐体３２０の負荷に対する給電まで停止されることが分かる。また、ユーザは、トナー交換やジャム処理、メンテナンス等が完了すると、第１の筐体３１０に設けられた所定の扉を閉止する。
【００８２】
これにより、検知機構３１２は、第１の筐体３１０に設けられた所定の扉の閉止に応じて、開状態となっているスイッチを閉状態にして、電源３１１からの給電を再開する。ここで、リレー３１４は、第３の筐体３３０からの給電が停止しているわけではないため、動作している状態（接点３１４ａが閉状態）である。従って、電源３１１は、検知機構３１２のスイッチが開状態から閉状態になった時点で、接点３１４ａに接続された負荷に対して給電できるようになる（給電Ａ開始）。加えて、電源３１１は、検知機構３１２のスイッチが開状態から閉状態になった時点で、接点３１４ａに接続されたリレー３２４に対して給電できるようになる。
【００８３】
リレー３２４は、電源３１１から、接点３１４ａに接続されたコイル３２４ｂに対する給電が開始されることで動作を開始し、接点３２４ａが閉状態になる。ここで、第２の筐体３２０では、検知機構３２２のスイッチが閉状態から変化していないため、電源３２１からの給電がリレー３２４に対して行なわれている状態のままである。従って、電源３２１は、リレー３２４の動作が開始された時点で、接点３２４ａに接続された負荷に対して給電できるようになる（給電Ｂ開始）。この時点で、画像形成装置３００では、各筐体３１０、３２０、３３０の負荷に対する給電が行なわれていることになる。
【００８４】
次に、第２の筐体３２０に設けられた所定の扉が開放されたときの画像形成装置３００の動作を例に挙げて説明する。
【００８５】
上述したように、第２の筐体３２０は、電源３２１から、リレー３２４を介さずに、第３の筐体３３０のリレー３３４に対して給電する。このため、電源３２１は、第２の筐体３２０に設けられた所定の扉の開放により検知機構３２２のスイッチが開状態になった時点で、リレー３３４のコイル３３４ｂに対して給電できなくなる。加えて、電源３２１は、第２の筐体３２０に設けられた所定の扉の開放により検知機構３２２のスイッチが開状態になった時点で、リレー３２４が動作していたとしても、接点３２４ａに接続された負荷に対して給電することができなくなる（給電Ｂ停止）。
【００８６】
また、リレー３３４は、第２の筐体３２０に設けられた所定の扉の開放により検知機構３２２のスイッチが開状態になった時点で、第２の筐体３２０の電源３２１からの給電が停止するので、動作することができなくなる。すなわち、リレー３３４は、電源３２１からコイル３３４ｂに対する給電が停止することで動作を停止し、接点３３４ａが開状態になる。このため、電源３３１は、リレー３３４の動作が停止した時点で、検知機構３３２のスイッチが閉状態であったとしても、接点３３４ａに接続された負荷に対して給電することができなくなる（給電Ｃ停止）。
【００８７】
また、上述したように、第３の筐体３３０は、電源３３１から、リレー３３４を介して、第１の筐体３１０のリレー３１４に対して給電する。このため、電源３３１は、リレー３３４の動作が停止した時点で、検知機構３３２のスイッチが閉状態であったとしても、接点３３４ａに接続されたリレー３１４に対して給電することができなくなる。これにより、リレー３１４は、第３の筐体３３０の電源３３１から、接点３３４ａに接続されたコイル３１４ｂに対する給電が停止することで動作を停止し、接点３１４ａが開状態になる。
【００８８】
このため、電源３１１は、リレー３１４の動作が停止した時点で、検知機構３１２のスイッチが閉状態であったとしても、接点３１４ａに接続された負荷に対して給電することができなくなる（給電Ａ停止）。この時点で、画像形成装置３００では、各筐体３１０、３２０、３３０の負荷に対する給電が停止されることになる。また、電源３１１は、リレー３１４の動作が停止した時点で、検知機構３１２のスイッチが閉状態であったとしても、接点３１４ａに接続されたリレー３２４のコイル３２４ｂに対して給電することができなくなる。これにより、リレー３２４は、第１の筐体３１０の電源３１１から、接点３１４ａに接続されたコイル３２４ｂに対する給電が停止することで動作を停止する。
【００８９】
ユーザは、第２の筐体３２０に設けられた所定の扉を開放したうえで、トナー交換やジャム処理、メンテナンス等を実施する。このとき、ユーザは、各筐体３１０、３２０、３３０の負荷に対する給電が停止しているため、より安全に作業を行なえる。また、ユーザは、トナー交換やジャム処理、メンテナンス等が完了すると、第２の筐体３２０に設けられた所定の扉を閉止する。
【００９０】
これにより、検知機構３２２は、第２の筐体３２０に設けられた所定の扉の閉止に応じて、開状態となっているスイッチを閉状態にして、電源３２１からの給電を再開する。ここで、リレー３２４は、第１の筐体３１０からの給電が停止しているので動作しておらず（接点３２４ａが開状態）、この時点では、負荷に対する給電（給電Ｂ）を開始できない。まず、電源３２１は、検知機構３２２のスイッチが開状態から閉状態になった時点で、第３の筐体３３０のリレー３３４に対して給電できるようになる。
【００９１】
リレー３３４は、第２の筐体３２０の電源３２１からコイル３３４ｂに対する給電が開始されることで動作を開始し、接点３３４ａが閉状態になる。ここで、第３の筐体３３０では、検知機構３３２のスイッチが閉状態から変化していないため、電源３３１からの給電がリレー３３４に対して行なわれている状態のままである。従って、電源３３１は、リレー３３４の動作が開始された時点で、接点３３４ａに接続された負荷に対して給電できるようになる（給電Ｃ開始）。加えて、電源３３１は、リレー３３４の動作が開始された時点で、接点３３４ａに接続されたリレー３１４に対して給電できるようになる。
【００９２】
リレー３１４は、電源３３１から、接点３３４ａに接続されたコイル３１４ｂに対する給電が開始されることで動作を開始し、接点３１４ａが閉状態になる。ここで、第１の筐体３１０では、検知機構３１２のスイッチが閉状態から変化していないため、電源３１１からの給電がリレー３１４に対して行なわれている状態のままである。従って、電源３１１は、リレー３１４の動作が開始された時点で、接点３１４ａに接続された負荷に対して給電できるようになる（給電Ａ開始）。加えて、電源３１１は、リレー３１４の動作が開始された時点で、接点３１４ａに接続されたリレー３２４に対して給電できるようになる。
【００９３】
リレー３２４は、電源３１１から、接点３１４ａに接続されたコイル３２４ｂに対する給電が開始されることで動作を開始し、接点３２４ａが閉状態になる。ここで、第２の筐体３２０では、検知機構３２２のスイッチが開状態から閉状態になっているため、電源３２１からの給電がリレー３２４に対して行なわれている状態となっている。従って、電源３２１は、リレー３２４の動作が開始された時点で、接点３２４ａに接続された負荷に対して給電できるようになる（給電Ｂ開始）。この時点で、画像形成装置３００では、各筐体３１０、３２０、３３０の負荷に対する給電が行なわれていることになる。
【００９４】
次に、第３の筐体３３０に設けられた所定の扉が開放されたときの画像形成装置３００の動作を例に挙げて説明する。
【００９５】
上述したように、第３の筐体３３０は、電源３３１から、リレー３３４を介して、第１の筐体３１０のリレー３１４に対して給電する。このため、電源３３１は、第３の筐体３３０に設けられた所定の扉の開放により検知機構３３２のスイッチが開状態になった時点で、リレー３３４が動作していたとしても、接点３３４ａに接続されたリレー３１４のコイル３１４ｂに対して給電することができなくなる。加えて、電源３３１は、第３の筐体３３０に設けられた所定の扉の開放により検知機構３３２のスイッチが開状態になった時点で、リレー３３４が動作していたとしても、接点３３４ａに接続された負荷に対して給電することができなくなる（給電Ｃ停止）。
【００９６】
また、リレー３１４は、第３の筐体３３０に設けられた所定の扉の開放により検知機構３３２のスイッチが開状態になった時点で、電源３３１から、接点３３４ａに接続されたコイル３１４ｂに対する給電が停止するので、動作することができなくなる。すなわち、リレー３１４は、電源３３１から、接点３３４ａに接続されたコイル３１４ｂに対する給電が停止することで動作を停止し、接点３１４ａが開状態になる。このため、電源３１１は、リレー３１４の動作が停止した時点で、検知機構３１２のスイッチが閉状態であったとしても、接点３１４ａに接続された負荷に対して給電することができなくなる（給電Ａ停止）。加えて、電源３１１は、リレー３１４の動作が停止した時点で、検知機構３１２のスイッチが閉状態であったとしても、接点３１４ａに接続されたリレー３２４のコイル３２４ｂに対して給電することができなくなる。
【００９７】
これにより、リレー３２４は、電源３１１から、接点３１４ａに接続されたコイル３２４ｂに対する給電が停止することで動作を停止し、接点３２４ａが開状態になる。このため、電源３２１は、リレー３２４の動作が停止した時点で、検知機構３２２のスイッチが閉状態であったとしても、接点３２４ａに接続された負荷に対して給電することができなくなる（給電Ｂ停止）。この時点で、画像形成装置３００では、各筐体３１０、３２０、３３０の負荷に対する給電が停止されることになる。
【００９８】
ユーザは、第３の筐体３３０に設けられた所定の扉を開放したうえで、トナー交換やジャム処理、メンテナンス等を実施する。このとき、ユーザは、各筐体３１０、３２０、３３０の負荷に対する給電が停止しているため、より安全に作業を行なえる。また、ユーザは、トナー交換やジャム処理、メンテナンス等が完了すると、第３の筐体３３０に設けられた所定の扉を閉止する。
【００９９】
これにより、検知機構３３２は、第３の筐体３３０に設けられた所定の扉の閉止に応じて、開状態となっているスイッチを閉状態にして、電源３３１からの給電を再開する。ここで、リレー３３４は、第２の筐体３２０からの給電が停止しているわけではないので、動作している状態（接点３３４ａが閉状態）である。従って、電源３３１は、検知機構３３２のスイッチが開状態から閉状態になった時点で、接点３３４ａに接続された負荷に対して給電できるようになる（給電Ｃ開始）。加えて、電源３３１は、検知機構３３２のスイッチが開状態から閉状態になった時点で、接点３３４ａに接続されたリレー３１４に対して給電できるようになる。
【０１００】
リレー３１４は、電源３３１から、接点３３４ａに接続されたコイル３１４ｂに対する給電が開始されることで動作を開始し、接点３１４ａが閉状態になる。ここで、第１の筐体３１０では、検知機構３１２のスイッチが閉状態から変化していないため、電源３１１からの給電がリレー３１４に対して行なわれている状態のままである。従って、電源３１１は、リレー３１４の動作が開始された時点で、接点３１４ａに接続された負荷に対して給電できるようになる（給電Ａ開始）。加えて、電源３１１は、リレー３１４の動作が開始された時点で、接点３１４ａに接続されたリレー３２４に対して給電できるようになる。
【０１０１】
リレー３２４は、電源３１１から、接点３１４ａに接続されたコイル３２４ｂに対する給電が開始されることで動作を開始し、接点３２４ａが閉状態になる。ここで、第２の筐体３２０では、検知機構３２２のスイッチが閉状態から変化していないため、電源３２１からの給電がリレー３２４に対して行なわれている状態のままである。従って、電源３２１は、リレー３２４の動作が開始された時点で、接点３２４ａに接続された負荷に対して給電できるようになる（給電Ｂ開始）。この時点で、画像形成装置３００では、各筐体３１０、３２０、３３０の負荷に対する給電が行なわれていることになる。
【０１０２】
図１０は、実施の形態３に係る画像形成装置３００が有する３筐体の給電状態の例を説明する図である。図１０に示す「筐体Ｎｏ．」は、第１の筐体３１０を「１」、第２の筐体３２０を「２」、第３の筐体３３０を「３」として対応させた番号である。また、図１０に示す「扉の状態」は、各筐体３１０、３２０、３３０に設けられた所定の扉それぞれが開状態であるか又は閉状態であるかを示すものであり、「１」を開状態とし、「０」を閉状態とする。また、図１０に示す「給電状態」は、各筐体３１０、３２０、３３０の負荷それぞれに対して給電されている状態（給電ＯＮ）であるか、又は、給電されていない状態（給電ＯＦＦ）であるかを示すものであり、「１」を給電ＯＮとし、「０」を給電ＯＦＦとする。
【０１０３】
図１０に示すように、全ての筐体の扉が閉鎖された状態（状態Ａ）では、各筐体が有する負荷に対して給電されている状態となる。また、筐体Ｎｏ．「１」の筐体の扉が開放された状態（状態Ｂ）では、筐体Ｎｏ．「１」が給電状態「０」、筐体Ｎｏ．「２」が給電状態「０」、筐体Ｎｏ．「３」が給電状態「１」となる。また、筐体Ｎｏ．「２」の筐体の扉が開放された状態（状態Ｃ）では、各筐体が有する負荷に対して給電されていない状態となる。また、筐体Ｎｏ．「３」の筐体の扉が開放された状態（状態Ｄ）では、各筐体が有する負荷に対して給電されていない状態となる。これらのように、３筐体で構成された画像形成装置３００において、何れかの筐体の扉が開放された場合は、少なくとも、扉が開放された筐体と、扉が開放された筐体の隣に配置された筐体との負荷に対する給電が停止されることが分かる。
【０１０４】
次に、図１１を用いて、実施の形態３に係る画像形成装置３００による給電遮断処理を説明する。図１１は、実施の形態３に係る画像形成装置３００による給電遮断処理の流れの例を示すシーケンス図である。なお、図１１では、第１の筐体３１０に設けられた所定の扉が開放された場合を例に挙げる。
【０１０５】
図１１に示すように、検知機構３１２は、第１の筐体３１０に設けられた所定の扉の開放に応じて（ステップＳ７０１）、スイッチを閉状態から開状態にして、電源３１１からの給電を遮断する（ステップＳ７０２）。そして、リレー３１４は、電源３１１からの給電が遮断されたため、接点３１４ａに接続された負荷に対する電源３１１からの給電（給電Ａ）を停止する（ステップＳ７０３）。
【０１０６】
また、リレー３２４は、電源３１１からの給電の遮断により、接点３１４ａに接続されたコイル３２４ｂに対する給電が停止したため（ステップＳ７０４）、動作を停止する（ステップＳ７０５）。これにより、リレー３２４は、接点３２４ａが閉状態から開状態になることで、接点３２４ａに接続された負荷に対する電源３２１からの給電（給電Ｂ）を停止する（ステップＳ７０６）。
【０１０７】
次に、図１２を用いて、実施の形態３に係る画像形成装置３００による給電再開処理を説明する。図１２は、実施の形態３に係る画像形成装置３００による給電再開処理の流れの例を示すシーケンス図である。なお、図１２では、図１１で説明した給電遮断処理の後に、第１の筐体３１０に設けられた所定の扉が閉止された場合を例に挙げる。
【０１０８】
図１２に示すように、検知機構３１２は、第１の筐体３１０に設けられた所定の扉の閉止に応じて（ステップＳ８０１）、スイッチを開状態から閉状態にして、電源３１１からの給電を再開する（ステップＳ８０２）。そして、リレー３１４は、電源３１１からの給電が再開されたため、接点３１４ａに接続された負荷に対する電源３１１からの給電（給電Ａ）を開始する（ステップＳ８０３）。
【０１０９】
また、リレー３２４は、第１の筐体３１０の電源３１１から、接点３１４ａに接続されたコイル３２４ｂに対する給電が開始したため（ステップＳ８０４）、動作を開始する（ステップＳ８０５）。これにより、リレー３２４は、接点３２４ａが開状態から閉状態になることで、接点３２４ａに接続された負荷に対する電源３２１からの給電（給電Ｂ）を開始する（ステップＳ８０６）。
【０１１０】
次に、図１３を用いて、実施の形態３に係る画像形成装置３００による給電遮断処理を説明する。図１３は、実施の形態３に係る画像形成装置３００による給電遮断処理の流れの例を示すシーケンス図である。なお、図１３では、第２の筐体３２０に設けられた所定の扉が開放された場合を例に挙げる。
【０１１１】
図１３に示すように、検知機構３２２は、第２の筐体３２０に設けられた所定の扉の開放に応じて（ステップＳ９０１）、スイッチを閉状態から開状態にして、電源３２１からの給電を遮断する（ステップＳ９０２）。そして、リレー３２４は、電源３２１からの給電が遮断されたため、接点３２４ａに接続された負荷に対する電源３２１からの給電（給電Ｂ）を停止する（ステップＳ９０３）。
【０１１２】
また、リレー３３４は、電源３２１からの給電の遮断により、第２の筐体３２０の電源３２１からコイル３３４ｂに対する給電が停止したため（ステップＳ９０４）、動作を停止する（ステップＳ９０５）。これにより、リレー３３４は、接点３３４ａが閉状態から開状態になることで、接点３３４ａに接続された負荷に対する電源３３１からの給電（給電Ｃ）を停止する（ステップＳ９０６）。
【０１１３】
また、リレー３１４は、リレー３３４の動作が停止したため、電源３３１から、接点３３４ａに接続されたコイル３１４ｂに対する給電も停止され（ステップＳ９０７）、動作を停止する（ステップＳ９０８）。これにより、リレー３１４は、接点３１４ａが閉状態から開状態になることで、接点３１４ａに接続された負荷に対する電源３１１からの給電（給電Ａ）を停止する（ステップＳ９０９）。また、リレー３２４は、リレー３１４の動作が停止したため、電源３１１から、接点３１４ａに接続されたコイル３２４ｂに対する給電も停止され（ステップＳ９１０）、動作を停止する（ステップＳ９１１）。
【０１１４】
次に、図１４を用いて、実施の形態３に係る画像形成装置３００による給電再開処理を説明する。図１４は、実施の形態３に係る画像形成装置３００による給電再開処理の流れの例を示すシーケンス図である。なお、図１４では、図１３で説明した給電遮断処理の後に、第２の筐体３２０に設けられた所定の扉が閉止された場合を例に挙げる。
【０１１５】
図１４に示すように、検知機構３２２は、第２の筐体３２０に設けられた所定の扉の閉止に応じて（ステップＳ１００１）、スイッチを開状態から閉状態にして、電源３２１からの給電を再開する（ステップＳ１００２）。
【０１１６】
また、リレー３３４は、第２の筐体３２０の電源３２１からコイル３３４ｂに対する給電が開始したため（ステップＳ１００３）、動作を開始する（ステップＳ１００４）。これにより、リレー３３４は、接点３３４ａが開状態から閉状態になることで、接点３３４ａに接続された負荷に対する電源３３１からの給電（給電Ｃ）を開始する（ステップＳ１００５）。
【０１１７】
また、リレー３１４は、電源３３１から、接点３３４ａに接続されたコイル３１４ｂに対する給電が開始したため（ステップＳ１００６）、動作を開始する（ステップＳ１００７）。これにより、リレー３１４は、接点３１４ａが開状態から閉状態になることで、接点３１４ａに接続された負荷に対する電源３１１からの給電（給電Ａ）を開始する（ステップＳ１００８）。
【０１１８】
また、リレー３２４は、電源３１１から、接点３１４ａに接続されたコイル３２４ｂに対する給電が開始したため（ステップＳ１００９）、動作を開始する（ステップＳ１０１０）。これにより、リレー３２４は、接点３２４ａが開状態から閉状態になることで、接点３２４ａに接続された負荷に対する電源３２１からの給電（給電Ｂ）を開始する（ステップＳ１０１１）。
【０１１９】
次に、図１５を用いて、実施の形態３に係る画像形成装置３００による給電遮断処理を説明する。図１５は、実施の形態３に係る画像形成装置３００による給電遮断処理の流れの例を示すシーケンス図である。なお、図１５では、第３の筐体３３０に設けられた所定の扉が開放された場合を例に挙げる。
【０１２０】
図１５に示すように、検知機構３３２は、第３の筐体３３０に設けられた所定の扉の開放に応じて（ステップＳ１１０１）、スイッチを閉状態から開状態にして、電源３３１からの給電を遮断する（ステップＳ１１０２）。そして、リレー３３４は、電源３３１からの給電が遮断されたため、接点３３４ａに接続された負荷に対する電源３３１からの給電（給電Ｃ）を停止する（ステップＳ１１０３）。
【０１２１】
また、リレー３１４は、電源３３１からの給電の遮断により、接点３３４ａに接続されたコイル３１４ｂに対する給電が停止したため（ステップＳ１１０４）、動作を停止する（ステップＳ１１０５）。これにより、リレー３１４は、接点３１４ａが閉状態から開状態になることで、接点３１４ａに接続された負荷に対する電源３１１からの給電（給電Ａ）を停止する（ステップＳ１１０６）。
【０１２２】
また、リレー３２４は、リレー３１４の動作の停止により、電源３１１から、接点３１４ａに接続されたコイル３２４ｂに対する給電が停止したため（ステップＳ１１０７）、動作を停止する（ステップＳ１１０８）。これにより、リレー３２４は、接点３２４ａが閉状態から開状態になることで、接点３２４ａに接続された負荷に対する電源３２１からの給電（給電Ｂ）を停止する（ステップＳ１１０９）。
【０１２３】
次に、図１６を用いて、実施の形態３に係る画像形成装置３００による給電再開処理を説明する。図１６は、実施の形態３に係る画像形成装置３００による給電再開処理の流れの例を示すシーケンス図である。なお、図１６では、図１５で説明した給電遮断処理の後に、第３の筐体３３０に設けられた所定の扉が閉止された場合を例に挙げる。
【０１２４】
図１６に示すように、検知機構３３２は、第３の筐体３３０に設けられた所定の扉の閉止に応じて（ステップＳ１２０１）、スイッチを開状態から閉状態にして、電源３３１からの給電を再開する（ステップＳ１２０２）。そして、リレー３３４は、電源３３１からの給電が再開されたため、接点３３４ａに接続された負荷に対する電源３３１からの給電（給電Ｃ）を開始する（ステップＳ１２０３）。
【０１２５】
また、リレー３１４は、第３の筐体３３０の電源３３１から、接点３３４ａに接続されたコイル３１４ｂに対する給電が開始したため（ステップＳ１２０４）、動作を開始する（ステップＳ１２０５）。これにより、リレー３１４は、接点３１４ａが開状態から閉状態になることで、接点３１４ａに接続された負荷に対する電源３１１からの給電（給電Ａ）を開始する（ステップＳ１２０６）。
【０１２６】
また、リレー３２４は、第１の筐体３１０の電源３１１から、接点３１４ａに接続されたコイル３２４ｂに対する給電が開始したため（ステップＳ１２０７）、動作を開始する（ステップＳ１２０８）。これにより、リレー３２４は、接点３２４ａが開状態から閉状態になることで、接点３２４ａに接続された負荷に対する電源３２１からの給電（給電Ｂ）を開始する（ステップＳ１２０９）。
【０１２７】
上述したように、画像形成装置３００は、一端に配置された筐体が、自身の筐体が有するリレーを介して、中間に配置された筐体が有するリレーに対して給電し、中間に配置された筐体が、自身の筐体が有するリレーを介さずに、他端に配置された筐体が有するリレーに対して給電し、他端に配置された筐体が、自身の筐体が有するリレーを介さずに、一端に配置された筐体が有するリレーに対して給電する。この結果、画像形成装置３００は、より簡易な構成で、より確実にインターロック技術を実現することができ、また、インターロック技術の実現後の復帰を容易及び確実に行なうことができる。
【０１２８】
（その他、変形例など）
図１７を用いて、画像形成装置１００、２００、３００のハードウェア構成を説明する。図１７は、画像形成装置１００、２００、３００のハードウェア構成例を示すブロック図である。
【０１２９】
上述してきたように、画像形成装置１００、２００、３００では、各筐体のリレーを介して負荷に対して給電される（例えば、図１７に示す給電Ａや給電Ｂ等）。画像形成装置１００、２００、３００が有する各ハードウェアは、これらの給電により、以下で説明するように動作する。
【０１３０】
図１７に示すように、画像形成装置１００は、コントローラ１０と、エンジン部（Engine）６０とを、ＰＣＩ（Peripheral  Component  Interconnect）バスで接続した構成となる。コントローラ１０は、画像形成装置１００全体の制御と描画、通信、図示しない操作部からの入力を制御するコントローラである。エンジン部６０は、ＰＣＩバスに接続可能なプリンタエンジン等であり、例えば白黒プロッタ、１ドラムカラープロッタ、４ドラムカラープロッタ、スキャナ又はファックスユニット等である。なお、エンジン部６０には、プロッタ等のいわゆるエンジン部分に加えて、誤差拡散やガンマ変換等の画像処理部分が含まれる。
【０１３１】
コントローラ１０は、ＣＰＵ（Central  Processing  Unit）１１と、ノースブリッジ（NB）１３と、システムメモリ（MEM‐P）１２と、サウスブリッジ（SB）１４と、ローカルメモリ（MEM‐C）１７と、ＡＳＩＣ（Application  Specific  Integrated  Circuit）１６と、ハードディスクドライブ（HDD）１８とを有し、ノースブリッジ１３とＡＳＩＣ１６との間をＡＧＰ（Accelerated  Graphics  Port）１５で接続した構成となる。また、ＭＥＭ−Ｐ１２は、ＲＯＭ（Read  Only  Memory）１２ａと、ＲＡＭ（Random  Access  Memory）１２ｂとをさらに有する。
【０１３２】
ＣＰＵ１１は、画像形成装置１００の全体制御を行なうものであり、ＮＢ１３、ＭＥＭ−Ｐ１２及びＳＢ１４からなるチップセットを有し、このチップセットを介して他の機器と接続される。
【０１３３】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書き等を制御するメモリコントローラと、ＰＣＩマスタ及びＡＧＰターゲットとを有する。
【０１３４】
ＭＥＭ−Ｐ１２は、プログラムやデータの格納用メモリ、プログラムやデータの展開用メモリ、プリンタの描画用メモリ等として用いるシステムメモリであり、ＲＯＭ１２ａとＲＡＭ１２ｂとからなる。ＲＯＭ１２ａは、プログラムやデータの格納用メモリとして用いる読み出し専用のメモリである。ＲＡＭ１２ｂは、プログラムやデータの展開用メモリ、プリンタの描画用メモリ等として用いる書き込み及び読み出し可能なメモリである。
【０１３５】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインタフェース部等も接続される。
【０１３６】
ＡＳＩＣ１６は、画像処理用のハードウェア要素を有する画像処理用途向けのＩＣ（Integrated  Circuit）であり、ＡＧＰ１５、ＰＣＩバス、ＨＤＤ１８及びＭＥＭ−Ｃ１７をそれぞれ接続するブリッジの役割を有する。このＡＳＩＣ１６は、ＰＣＩターゲット及びＡＧＰマスタと、ＡＳＩＣ１６の中核をなすアービタ（ARB）と、ＭＥＭ−Ｃ１７を制御するメモリコントローラと、ハードウェアロジック等により画像データの回転等を行なう複数のＤＭＡＣ（Direct  Memory  Access  Controller）と、エンジン部６０との間でＰＣＩバスを介したデータ転送を行なうＰＣＩユニットとからなる。このＡＳＩＣ１６には、ＰＣＩバスを介してＦＣＵ（Fax  Control  Unit）３０、ＵＳＢ（Universal  Serial  Bus）４０、ＩＥＥＥ１３９４（the  Institute  of  Electrical  and  Electronics  Engineers  1394）インタフェース５０が接続される。操作表示部２０は、ＡＳＩＣ１６に直接接続されている。
【０１３７】
ＭＥＭ−Ｃ１７は、コピー用画像バッファ、符号バッファとして用いるローカルメモリであり、ＨＤＤ（Hard  Disk  Drive）１８は、画像データの蓄積、プログラムの蓄積、フォントデータの蓄積、フォームの蓄積を行なうためのストレージである。
【０１３８】
ＡＧＰ１５は、グラフィック処理を高速化するために提案されたグラフィックスアクセラレータカード用のバスインタフェースであり、ＭＥＭ−Ｐ１２に高スループットで直接アクセスすることにより、グラフィックスアクセラレータカードを高速にするものである。
【０１３９】
なお、画像形成装置１００で実行されるプログラムは、ＲＯＭ等に予め組み込まれて提供される。画像形成装置１００で実行されるプログラムは、インストール可能な形式又は実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録して提供するように構成しても良い。
【０１４０】
さらに、画像形成装置１００で実行されるプログラムを、インターネット等のネットワークに接続されたコンピュータ上に格納し、ネットワーク経由でダウンロードさせることにより提供するように構成しても良い。また、画像形成装置１００で実行されるプログラムを、インターネット等のネットワーク経由で提供又は配布するように構成しても良い。
【０１４１】
画像形成装置１００で実行されるプログラムは、以下で説明する各部の機能を実現するモジュール構成となっており、実際のハードウェアとしてはＣＰＵが上記ＲＯＭからプログラムを読み出して実行することにより各部の機能が主記憶装置上にロードされ生成されるようになっている。なお、画像形成装置１００は、複合機に限られるものではなく、コピー機、ファクシミリ、プリンタを含む様々な装置に適用することができる。
【０１４２】
また、上記実施の形態では、所定イベントの一例として、画像形成装置が有する筐体に設けられた所定の扉の開閉を例に挙げた。所定イベントは、これに限られるものではなく、電子機器の種類よって異なる場合がある。いずれの電子機器にしても、本実施の形態は、ユーザにとってより安全な状態を維持するためになされる。
【０１４３】
また、上記実施の形態では、画像形成装置が有する複数の筐体のうち、何れか一つの筐体に設けられた所定の扉が開放される場合を例に挙げた。これについて、本実施の形態は、２以上の筐体において、略同時に又は異なるタイミングで、所定の扉が開放される場合であっても良い。かかる場合は、所定の扉が開放された筐体が有する検知機構のスイッチが開状態になり、所定の扉が開放された筐体の負荷に対する給電が停止し、これに応じて、上述してきた各部の動作によって他筐体の負荷に対する給電も停止され得る。
【０１４４】
また、上記文書中や図面中等で示した処理手順、制御手順、具体的名称、各種のデータやパラメータ等を含む情報は、特記する場合を除いて任意に変更することができる。また、図示した装置の各構成要素は、機能概念的なものであり、必ずしも物理的に図示の如く構成されていることを要しない。すなわち、装置の分散又は統合の具体的形態は、図示のものに限られず、その全部又は一部を各種の負担や使用状況等に応じて、任意の単位で機能的又は物理的に、分散又は統合することができる。
【符号の説明】
【０１４５】
１００  画像形成装置
１１０  第１の筐体
１１１  電源
１１２  検知機構
１１３  給電切断回路
１１４  リレー
１１４ａ  接点
１１４ｂ  コイル
１１５  第１の給電ライン
１１６  第２の給電ライン
１２０  第２の筐体
１２１  電源
１２２  検知機構
１２３  給電切断回路
１２４  リレー
１２４ａ  接点
１２４ｂ  コイル
１２５  第１の給電ライン
１２６  第２の給電ライン
【先行技術文献】
【特許文献】
【０１４６】
【特許文献１】特開平４−７２１２１号公報
【図１】
2018142484.tif 000003
【図２】
2018142484.tif 000004
【図３】
2018142484.tif 000005
【図４】
2018142484.tif 000006
【図５】
2018142484.tif 000007
【図６】
2018142484.tif 000008
【図７】
2018142484.tif 000009
【図８】
2018142484.tif 000010
【図９】
2018142484.tif 000011
【図１０】
2018142484.tif 000012
【図１１】
2018142484.tif 000013
【図１２】
2018142484.tif 000014
【図１３】
2018142484.tif 000015
【図１４】
2018142484.tif 000016
【図１５】
2018142484.tif 000017
【図１６】
2018142484.tif 000018
【図１７】
2018142484.tif 000019